(57)【要約】【課題】  医療部材の使用時には、長尺の医療部材を簡単に引き抜くことができ、医療部材の保管時には、長尺の医療部材を確実に保持することができる台紙を提供し、さらには、台紙が撓んだ場合においても、長尺の医療部材を確実に保持することができる台紙を提供する。【解決手段】  長尺の医療部材２を保持するための平坦面４有し、平坦面４には、医療部材２を保持するように、先端側タブ３ａ１〜３ａｎと、基端側タブ３ｂ１〜３ｂｎとが対で形成されており、基端側タブ３ｂ１〜３ｂｎには、タブの底辺Ｂ１に対して交差する方向に折り目（５ｂ１，５ｂ２・・・・５ｂｎ）が形成されている。【選択図】  図１
2020130212.tif 000002
【特許請求の範囲】
【請求項１】
長尺の医療部材を保持するための平坦面を有する台紙であって、
前記平坦面には、前記医療部材を保持するように、先端側タブと、基端側タブとが対で形成されており、
前記先端側タブ及び前記基端側タブの少なくとも一方には、タブの底辺に対して交差する方向に折り目が形成されていることを特徴とする台紙。
【請求項２】
前記折り目は、前記先端側タブ及び／または前記基端側タブの１タブに対して複数本形成されていることを特徴とする請求項１に記載の台紙。
【請求項３】
前記折り目は、前記タブの底辺に対して垂直な方向に形成されていることを特徴とする請求項１または請求項２に記載の台紙。
【請求項４】
前記折り目は、前記平坦面に対して山折りであることを特徴とする請求項１乃至請求項３の何れかに記載の台紙。
【請求項５】
前記折り目は、前記先端側タブ及び前記基端側タブに形成されていることを特徴とする請求項１乃至請求項４の何れかに記載の台紙。
【請求項６】
前記先端側タブと前記基端側タブとが対向する領域には、略Ｓ字状に並行した間隙が形成されていることを特徴とする請求項１乃至請求項５の何れかに記載の台紙。
【発明の詳細な説明】
【技術分野】
【０００１】
本発明は、台紙に関する。
【背景技術】
【０００２】
従来から、カテーテル等の長尺状の医療部材（以下、単に「医療部材」と記す）は、平坦面を有する台紙上に保持され、台紙上に保持された状態で滅菌袋内に保管されるのが一般的である。
【０００３】
例えば、特許文献１には、医療部材を、平坦面と、複数の一対のＵ字状のタブとの間に挟んで保持する台紙が記載されている（図７等参照）。
【先行技術文献】
【特許文献】
【０００４】
【特許文献１】特表２００７−５２７２９５号公報
【発明の概要】
【発明が解決しようとする課題】
【０００５】
しかしながら、特許文献１に記載の台紙では、一対のＵ字状のタブが台紙から平板の状態で持ち上げられて形成されていることから、医療部材を台紙に保持した状態で搬送した場合には、搬送中の振動によって、医療部材が台紙から外れてしまうという問題があった。
【０００６】
また、医療部材は可撓性の部材であることから、医療部材が保持された台紙自体が撓むことも多く、その際に、医療部材が台紙から外れてしまうという問題もあった。
【０００７】
一方で、医療部材を保持した台紙を滅菌袋から取り出し、医療部材を台紙から取り出す際には医療部材の基端側を把持し、台紙から引き抜くように取り出すことが多いが、その際には、医療部材が台紙からスムーズに取り出せることが望ましい。
【０００８】
本発明は、従来技術が有する上述した問題に対応してなされたものであり、医療部材の使用時には、長尺の医療部材を簡単に引き抜くことができ、医療部材の保管時には、長尺の医療部材を確実に保持することができる台紙を提供すること、さらには、台紙が撓んだ場合においても、長尺の医療部材を確実に保持することができる台紙を提供することを目的とする。
【課題を解決するための手段】
【０００９】
上述した課題を解決するために、本発明の第１の態様は、長尺の医療部材を保持するための平坦面を有する台紙であって、前記平坦面には、前記医療部材を保持するように、先端側タブと、基端側タブとが対で形成されており、前記先端側タブ及び前記基端側タブの少なくとも一方には、タブの底辺に対して交差する方向に折り目が形成されていることを特徴とする。
【００１０】
また、本発明の第２の態様は、第１の態様の台紙において、前記折り目は、前記先端側タブ及び／または前記基端側タブの１タブに対して複数本形成されていることを特徴とする。
【００１１】
また、本発明の第３の態様は、第１の態様または第２の態様の台紙において、前記折り目は、前記タブの底辺に対して垂直な方向に形成されていることを特徴とする。
【００１２】
また、本発明の第４の態様は、第１の態様乃至第３の態様の何れかの台紙において、前記折り目は、前記平坦面に対して山折りであることを特徴とする。
【００１３】
また、本発明の第５の態様は、第１の態様乃至第４の態様の何れかの台紙において、前記折り目は、前記先端側タブ及び前記基端側タブに形成されていることを特徴とする。
【００１４】
さらに、本発明の第６の態様は、第１の態様乃至第５の態様の何れかの台紙において、前記先端側タブと前記基端側タブとが対向する領域には、略Ｓ字状に並行した間隙が形成されていることを特徴とする。
【発明の効果】
【００１５】
本発明の第１の態様によれば、長尺の可撓性医療部材を保持するための平坦面を有する台紙であって、平坦面には、可撓性医療部材を保持するように、先端側タブと、基端側タブとが対で形成されており、先端側タブ及び基端側タブの少なくとも一方には、タブの底辺に対して交差する方向に折り目が形成されているので、医療部材の使用時には、長尺の医療部材を先端側タブと基端側タブとの間から簡単に引き抜くことができ、医療部材の保管時には、折り目によって折られることにより立体的形状を呈した先端側タブ及び／または基端側タブによって長尺の医療部材を確実に保持することができる。また、台紙が撓んだ場合にも、折り目によってさらに折られた立体的形状の先端側タブ及び／または基端側タブによって、長尺の医療部材をさらに確実に保持することができる。
【００１６】
また、本発明の第２の態様によれば、第１の態様の台紙において、折り目は、先端側タブ及び／または基端側タブの１タブに対して複数本形成されているので、第１の態様の台紙の効果に加え、先端側タブ及び／または基端側タブは複数本の折り目によって折られることにより、より立体的な立体的形状を呈し、長尺の医療部材をさらに確実に保持することができる。
【００１７】
また、本発明の第３の態様によれば、第１の態様または第２の態様の台紙において、折り目は、タブの底辺に対して垂直な方向に形成されているので、第１の態様または第２の態様の台紙の効果に加え、タブの剛性がさらに増大され、長尺の医療部材をさらに確実に保持することができる。
【００１８】
また、本発明の第４の態様によれば、第１の態様乃至第３の態様の何れかの台紙において、折り目は、平坦面に対して山折りであるので、第１の態様乃至第３の態様の何れかの台紙の効果に加え、１つのタブが長尺の医療部材に対して少なくとも２箇所接触することにより、長尺の医療部材をさらに確実に保持することができる。
【００１９】
また、本発明の第５の態様によれば、第１の態様乃至第４の態様の何れかの台紙において、折り目は、前記先端側タブ及び前記基端側タブに形成されているので、第１の態様乃至第４の態様の何れかの台紙の効果に加え、長尺の医療部材をさらに確実に保持することができる。
【００２０】
また、本発明の第６の態様によれば、第１の態様乃至第５の態様の何れかの台紙において、前記先端側タブと前記基端側タブとが対向する領域には、略Ｓ字状に並行した間隙が形成されているので、第１の態様乃至第５の態様の何れかの台紙の効果に加え、長尺の医療部材をさらに確実に保持することができる。
【図面の簡単な説明】
【００２１】
【図１】本発明の第１実施形態の台紙に医療部材を保持させた状態を示す全体平面図である。
【図２】図１のＡ部拡大平面図である。
【図３】図２の台紙をＣ１線で切断したＤ１方向の断面図である。
【図４】第２実施形態の台紙の部分拡大平面図である。
【図５】第３実施形態の台紙の部分拡大平面図である。
【図６】図５の台紙をＣ２線で切断したＤ２方向の断面図である。
【図７】第４実施形態の台紙の部分拡大平面図である。
【図８】第５実施形態の台紙の部分拡大平面図である。
【図９】図８の台紙をＣ４線で切断したＤ４方向の断面図である。
【図１０】第６実施形態の台紙の部分拡大平面図である。
【図１１】第７実施形態の台紙の部分拡大平面図である。
【図１２】図１１の台紙をＣ６線で切断したＤ６方向の断面図である。
【発明を実施するための形態】
【００２２】
以下、本発明の実施形態について、図面を参照して説明する。
【００２３】
（第１実施形態）
先ず、本発明の第１実施形態について説明する。
【００２４】
図１は、本発明の第１実施形態の台紙に医療部材を保持させた状態を示す全体平面図であり、図２は、図１のＡ部拡大平面図であり、図３は、図２の台紙をＣ１線で切断したＤ１方向の断面図である。
【００２５】
図１に示すように、台紙１は、基端にコネクタ６を有するカテーテル等の長尺の医療部材２を保持するためのものであって、平坦面４と、その平坦面４上に、複数の先端側タブ３ａ１、３ａ２、３ａ３、３ａ４、・・・・・３ａ（ｎ−１）、３ａｎ（以下、「３ａ１〜３ａｎ」と記す）と、複数の基端側タブ３ｂ１、３ｂ２、３ｂ３、３ｂ４、・・・・・３ｂ（ｎ−１）、３ｂｎ（以下、「３ｂ１〜３ｂｎ」と記す）とを備えている。
【００２６】
なお、本実施形態及び後述する他の実施形態においては、医療部材２の先端側に位置するタブを先端側タブ、医療部材２の基端側に位置するタブを基端側タブと記載しているが、これは、本実施形態の説明上の都合によるものであって、先端側タブ３ａ１〜３ａｎが医療部材２の先端側、基端側タブ３ｂ１〜３ｂｎが医療部材２の基端側に位置するというように、先端側タブ３ａ１〜３ａｎ及び基端側タブ３ｂ１〜３ｂｎの配置方向が医療部材２の配置方向に関係するものと解釈してはならない。
【００２７】
平坦面４は、厳密な平坦面である必要はなく、医療部材２を載置できる程度の平坦面であれば良い。
【００２８】
先端側タブ３ａ１〜３ａｎと基端側タブ３ｂ１〜３ｂｎとは、先端側タブ３ａ１と基端側タブ３ｂ１、先端側タブ３ａ２と基端側タブ３ｂ２、先端側タブ３ａ３と基端タブ３ｂ３、先端側タブ３ａ４と基端側タブ３ｂ４、・・・・・先端側タブ３ａ（ｎ−１）と基端側タブ３ｂ（ｎ−１）、及び先端側タブ３ａｎと基端側タブ３ｂｎとがそれぞれ対となって平坦面４上に配置されている。
【００２９】
また、図１及び図２に示すように、先端側タブ３ａ１〜３ａｎと基端側タブ３ｂ１〜３ｂｎとは向きが異なっており、先端側タブ３ａ１〜３ａｎは、平坦面４と切り離されていないタブの底辺(図示せず)が図示下側に位置しており、基端側タブ３ｂ１〜３ｂｎは、平坦面４と切り離されていないタブの底辺Ｂ１が図示上側に位置している。
【００３０】
そして、先端側タブ３ａ１〜３ａｎと基端側タブ３ｂ１〜３ｂｎとは、先端側タブ３ａ１と基端側タブ３ｂ１、先端側タブ３ａ２と基端側タブ３ｂ２、先端側タブ３ａ３と基端タブ３ｂ３、先端側タブ３ａ４と基端側タブ３ｂ４、・・・・・先端側タブ３ａ（ｎ−１）と基端側タブ３ｂ（ｎ−１）、及び先端側タブ３ａｎと基端側タブ３ｂｎとがそれぞれ対の状態で医療部材２を保持するように構成されている。
【００３１】
したがって、台紙１は、医療部材２を平坦面４上に載置するとともに、医療部材２を平坦面４と先端側タブ３ａ１〜３ａｎと基端側タブ３ｂ１〜３ｂｎとの間に挟むことによって保持している。
【００３２】
なお、本実施形態では、先端側タブ３ａ１〜３ａｎ及び基端側タブ３ｂ１〜３ｂｎは、何れも台紙１自体をカッター等の切断装置で切り込むことによって形成されている。
【００３３】
また、台紙１の形状及び大きさは、医療部材２全体を保持できる形状及び大きさであれば特に制限されないが、仕様によっては、医療部材２を部分的に保持できる形状及び大きさであっても良い場合もある。
【００３４】
但し、台紙１は、医療部材２の場合には、医療部材２よりも長い矩形（長方形）状のシートであることが好ましい。
【００３５】
なお、上述した、先端側タブの各々と基端側タブの各々とがそれぞれ対となって平坦面上に配置され、それぞれ対の状態で医療部材を保持するように構成されている点、及び先端側タブと基端側タブとの向きが異なっている点は、後述するすべての実施形態においても同様である。
【００３６】
また、上述した、台紙が、医療部材を平坦面上に載置するとともに、医療部材を平坦面と先端側タブと基端側タブとの間に挟むことによって保持している点、及び先端側タブ及び基端側タブが、何れも台紙自体をカッター等の切断装置で切り込むことによって形成されている点も、後述するすべての実施形態において同様である。
【００３７】
さらに、上述した、台紙の形状及び大きさ、並びに台紙の梱包方法及び取り出し方法についても、後述するすべての実施形態において同様である。
【００３８】
台紙１を構成する材料は、特に限定されず、紙、樹脂、発泡材等の従来公知の任意の材料で構成可能である。
【００３９】
先端側タブ３ａ１〜３ａｎの各々は、図２に示すように、平面視、先端側タブ３ａ１〜３ａｎの各々の底面の両端が滑らかな湾曲形状であって、先端側タブ３ａ１〜３ａｎの各々の中央が上向きのＵ字形状であり、対となる基端側タブ３ｂ１〜３ｂｎの各々よりも医療部材２先端側に位置している。
【００４０】
基端側タブ３ｂ１〜３ｂｎの各々は、図２に示すように、平面視、基端側タブ３ｂ１〜３ｂｎの各々の底面の両端が滑らかな湾曲形状であって、基端側タブ３ｂ１〜３ｂｎの各々の中央が下向きのＵ字形状であり、対となる先端側タブ３ａ１〜３ａｎの各々よりも医療部材２基端側に位置している。
【００４１】
また、基端側タブ３ｂ１〜３ｂｎの各々には、基端側タブ３ｂ１〜３ｂｎの各々の底辺Ｂ１に対して交差するθ１方向に山折りの折り目が形成されている。具体的には、基端側タブ３ｂ１には山折りの直線状の折り目５ｂ１、基端側タブ３ｂ２には山折りの直線状の折り目５ｂ２、・・・・基端側タブ３ｂｎには山折りの直線状の折り目５ｂｎ（図示せず）がそれぞれ形成されている。
【００４２】
このように、基端側タブ３ｂ１〜３ｂｎの各々に、その各々の底辺Ｂ１に対して交差するθ１方向に山折りの折り目が形成されると、図３に示すように、基端側タブ３ｂ１〜３ｂｎの各々が断面視略三角形の立体的形状を呈し、基端側タブ３ｂ１〜３ｂｎの各々が紙面の上下方向に折れ曲がり難くなり、医療部材２を確実に保持することができるようになる。
【００４３】
この点は、図３において、医療部材２及び台紙１が紙面上側または下側に湾曲した場合には、基端側タブ３ｂ１〜３ｂｎの各々の断面視三角形の頂角がさらに大きくまたは小さくなり、医療部材２をさらに強く保持することができるようになる。
【００４４】
なお、本実施形態では、基端側タブ３ｂ１〜３ｂｎのすべてに同じθ１方向の山折りの折り目が形成されているが、基端側タブ３ｂ１〜３ｂｎの各々に、異なる角度の山折りの折り目を形成しても良く、同じθ１方向の山折りの折り目または異なる角度の山折りの折り目を基端側タブ３ｂ１〜３ｂｎの一部に形成しても良い。また、基端側タブ３ｂ１〜３ｂｎの一部に後述する谷折りの折り目を形成しても良い。
【００４５】
但し、本実施形態のように、基端側タブ３ｂ１〜３ｂｎのすべてに同じθ１方向の折り目を形成する方が製造上簡単であり、基端側タブ３ｂ１〜３ｂｎのすべてに山折りの折り目を形成した場合には、１つの基端側タブが医療部材２に対して２箇所接触することにより、医療部材２をさらに確実に保持することができるようになる。
【００４６】
一方、図２に示すように、基端側タブ３ｂ１〜３ｂｎの各々は、先端側タブ３ａ１〜３ａｎの各々との間に、略Ｓ字状に並行した間隙が形成されるように配置されている。
【００４７】
以上説明した台紙１に医療部材２を保持させた後、医療部材２を保持した台紙１を滅菌袋に収納し、滅菌または減菌を行い、梱包を完了する。
【００４８】
一方、梱包された医療部材２を滅菌袋から取り出す際には、滅菌袋を開封した後、医療部材２を保持した台紙１を取り出し、医療部材２のコネクタ６を把持して、医療部材２を台紙１から引き抜く。
【００４９】
本実施形態の台紙１によれば、長尺の医療部材２を保持するための平坦面４を有し、平坦面４には、先端側タブ３ａ１〜３ａｎと、基端側タブ３ｂ１〜３ｂｎとが対で形成されており、基端側タブ３ｂ１〜３ｂｎには、基端側タブ３ｂ１〜３ｂｎの底辺Ｂ１に対して交差するθ１方向に山折りの折り目が形成されているので、医療部材２の使用時には、医療部材２を先端側タブ３ａ１〜３ａｎと基端側タブ３ｂ１〜３ｂｎとの間から簡単に引き抜くことができ、医療部材２の保管時には、折り目によって折られることにより立体的形状を呈した基端側タブ３ｂ１〜３ｂｎによって医療部材２を確実に保持することができる。
【００５０】
また、台紙１が撓んだ場合にも、折り目によってさらに折られた立体的形状の基端側タブ３ｂ１〜３ｂｎによって、医療部材２をさらに確実に保持することができる。
【００５１】
さらに、本実施形態の台紙１によれば、先端側タブ３ａ１〜３ａｎと基端側タブ３ｂ１〜３ｂｎとが対向する領域には、略Ｓ字状に並行した間隙が形成されているので、長尺の医療部材２をさらに確実に保持することができる。
【００５２】
なお、本実施形態においては、基端側タブ３ｂ１〜３ｂｎにのみ折り目を形成するようにしたが、先端側タブ３ａ１〜３ａｎにのみ折り目を形成するようにしても良い。但し、本実施形態のように、基端側タブ３ｂ１〜３ｂｎにのみ折り目を形成するようにした方が、先端側タブ３ａ１〜３ａｎにのみ折り目を形成するよりも、医療部材２を若干取り出し易くなる。
【００５３】
また、本実施形態の台紙１には、タブとして、先端側タブ３ａ１〜３ａｎ及び基端側タブ３ｂ１〜３ｂｎのみが記載されているが、平坦面４上には、先端側タブ３ａ１〜３ａｎ及び基端側タブ３ｂ１〜３ｂｎ以外にも、必要に応じて他の形状のタブが形成されても良い。
【００５４】
例えば、医療部材２の基端側に取り付けられるコネクタ６を保持するために、タブの内部に貫通孔を有するトンネル状タブや、医療部材２の保持位置が平坦面４上でずれることを防止するために、タブを立てて壁面を形成した位置規制用タブ等を設けても良い。
【００５５】
また、本実施形態では、先端側タブと基端側タブとの対が複数形成された台紙を説明したが、保持する医療部材の長さによっては、先端側タブと基端側タブとの対が一つのみ形成された台紙であっても良い。但し、先端側タブと基端側タブとの対を複数形成した方が医療部材に対する保持力は増大する。
【００５６】
（第２実施形態）
次に、本発明の第２実施形態について説明する。
【００５７】
図４は、第２実施形態の台紙の部分拡大平面図である。
【００５８】
なお、本実施形態においては、第１実施形態と同一の部材については同一の番号を付し、説明を省略する。また、本実施形態の台紙１１に医療部材２を保持させた状態を示す全体平面図は、図１とほぼ同一であるので省略する。
【００５９】
図４に示すように、台紙１１は、第１実施形態の台紙１と同様、基端にコネクタ６を有するカテーテル等の長尺の医療部材２を保持するためのものであって、平坦面４と、その平坦面４上に、複数の先端側タブ１３ａ１、１３ａ２、・・・・・、１３ａｎ（図示せず）（以下、「１３ａ１〜１３ａｎ」と記す）と、複数の基端側タブ１３ｂ１、１３ｂ２、・・・・・、１３ｂｎ（図示せず）（以下、「１３ｂ１〜１３ｂｎ」と記す）とを備えている。
【００６０】
台紙１１を構成する材料は、特に限定されず、紙、樹脂、発泡材等の従来公知の任意の材料で構成可能である。
【００６１】
先端側タブ１３ａ１〜１３ａｎの各々は、図４に示すように、平面視、先端側タブ１３ａ１〜１３ａｎの各々の底面の両端が滑らかな湾曲形状であって、先端側タブ１３ａ１〜１３ａｎの各々の中央が上向きのＵ字形状であり、対となる基端側タブ１３ｂ１〜１３ｂｎの各々よりも医療部材２先端側に位置している。
【００６２】
また、先端側タブ１３ａ１〜１３ａｎの各々には、先端側タブ１３ａ１〜１３ａｎの各々の底辺Ｂ２に対して交差するθ２方向に山折りの折り目が形成されている。具体的には、先端側タブ１３ａ１には山折りの直線状の折り目１５ａ１、先端側タブ１３ａ２には山折りの直線状の折り目１５ａ２、・・・・先端側タブ１３ａｎ（図示せず）には山折りの直線状の折り目１５ａｎ（図示せず）が形成されている。
【００６３】
このように、先端側タブ１３ａ１〜１３ａｎの各々に、その各々の底辺Ｂ２に対して交差するθ２方向に山折りの折り目が形成されると、先端側タブ１３ａ１〜１３ａｎの各々が断面視略三角形の立体的形状を呈し（図３参照）、先端側タブ１３ａ１〜１３ａｎの各々が折れ曲がり難くなり、医療部材２を確実に保持することができるようになる。
【００６４】
また、基端側タブ１３ｂ１〜１３ｂｎの各々は、図４に示すように、平面視、基端側タブ１３ｂ１〜１３ｂｎの各々の底面の両端が滑らかな湾曲形状であって、基端側タブ１３ｂ１〜１３ｂｎの各々の中央が下向きのＵ字形状であり、対となる先端側タブ１３ａ１〜１３ａｎの各々よりも医療部材２基端側に位置している。
【００６５】
また、基端側タブ１３ｂ１〜１３ｂｎの各々には、基端側タブ１３ｂ１〜１３ｂｎの各々の底辺Ｂ３に対して交差するθ３方向に山折りの折り目が形成されている。具体的には、基端側タブ１３ｂ１には山折りの直線状の折り目１５ｂ１、基端側タブ１３ｂ２には山折りの直線状の折り目１５ｂ２、・・・・基端側タブ１３ｂｎ（図示せず）には山折りの直線状の折り目１５ｂｎ（図示せず）が形成されている。
【００６６】
このように、基端側タブ１３ｂ１〜１３ｂｎの各々に、その各々の底辺Ｂ３に対して交差するθ３方向に山折りの折り目が形成されると、基端側タブ１３ｂ１〜１３ｂｎの各々が断面視略三角形の立体的形状を呈し（図３参照）、基端側タブ１３ｂ１〜１３ｂｎの各々が折れ曲がり難くなり、医療部材２を確実に保持することができるようになる。
【００６７】
上述した点は、図４において、医療部材２及び台紙１１が紙面表側または裏側に湾曲した場合には、先端側タブ１３ａ１〜１３ａｎの各々及び基端側タブ１３ｂ１〜１３ｂｎの各々の断面視三角形の頂角がさらに大きくまたは小さくなり、医療部材２をさらに強く保持することができるようになる。
【００６８】
なお、本実施形態では、先端側タブ１３ａ１〜１３ａｎのすべてに同じθ２方向の山折りの折り目が形成されているが、先端側タブ１３ａ１〜１３ａｎの各々に、異なる角度の山折りの折り目を形成しても良く、同じθ２方向の山折りの折り目または異なる角度の山折りの折り目を先端側タブ１３ａ１〜１３ａｎの一部に形成しても良い。また、先端側タブ１３ａ１〜１３ａｎの一部に後述する谷折りの折り目を形成しても良い。
【００６９】
同様に、本実施形態では、基端側タブ１３ｂ１〜１３ｂｎのすべてに同じθ３方向の山折りの折り目が形成されているが、基端側タブ１３ｂ１〜１３ｂｎの各々に、異なる角度の山折りの折り目を形成しても良く、同じθ３方向の山折りの折り目または異なる角度の山折りの折り目を基端側タブ１３ｂ１〜１３ｂｎの一部に形成しても良い。また、基端側タブ１３ｂ１〜１３ｂｎの一部に後述する谷折りの折り目を形成しても良い。
【００７０】
但し、本実施形態のように、先端側タブ１３ａ１〜１３ａｎのすべてに同じθ２方向の折り目を形成し、及び基端側タブ１３ｂ１〜１３ｂｎのすべてに同じθ３方向の折り目を形成する方が製造上簡単であり、先端側タブ１３ａ１〜１３ａｎのすべて及び基端側タブ１３ｂ１〜１３ｂｎのすべてに山折りの折り目を形成した場合には、１つの先端側タブ及び基端側タブが医療部材２に対して２箇所接触することにより、医療部材２をさらに確実に保持することができるようになる。
【００７１】
一方、図４に示すように、基端側タブ１３ｂ１〜１３ｂｎの各々は、先端側タブ１３ａ１〜１３ａｎの各々との間に、略Ｓ字状に並行した間隙が形成されるように配置されている。
【００７２】
本実施形態の台紙１１によれば、長尺の医療部材２を保持するための平坦面４を有し、平坦面４には、先端側タブ１３ａ１〜１３ａｎと、基端側タブ１３ｂ１〜１３ｂｎとが対で形成されており、先端側タブ１３ａ１〜１３ａｎには、先端側タブ１３ａ１〜１３ａｎの底辺Ｂ２に対して交差するθ２方向に山折りの折り目が形成され、基端側タブ１３ｂ１〜１３ｂｎには、基端側タブ１３ｂ１〜１３ｂｎの底辺Ｂ３に対して交差するθ３方向に山折りの折り目が形成されているので、医療部材２の使用時には、医療部材２を先端側タブ１３ａ１〜１３ａｎと基端側タブ１３ｂ１〜１３ｂｎとの間から簡単に引き抜くことができ、医療部材２の保管時には、折り目によって折られることにより立体的形状を呈した先端側タブ１３ａ１〜１３ａｎ及び基端側タブ１３ｂ１〜１３ｂｎによって医療部材２をさらに確実に保持することができる。
【００７３】
また、台紙１１が撓んだ場合にも、折り目によってさらに折られた立体的形状の先端側タブ１３ａ１〜１３ａｎ及び基端側タブ１３ｂ１〜１３ｂｎによって、医療部材２をさらに確実に保持することができる。
【００７４】
さらに、本実施形態の台紙１１によれば、先端側タブ１３ａ１〜１３ａｎと基端側タブ１３ｂ１〜１３ｂｎとが対向する領域には、略Ｓ字状に並行した間隙が形成されているので、長尺の医療部材２をさらに確実に保持することができる。
【００７５】
また、本実施形態の台紙１１においても、必要に応じて他の形状のタブが形成されても良い点及び先端側タブと基端側タブとの対が一つのみ形成された台紙であっても良い点は第１実施形態と同様である。
【００７６】
（第３実施形態）
次に、本発明の第３実施形態について説明する。
【００７７】
図５は、第３実施形態の台紙の部分拡大平面図であり、図６は、図５の台紙をＣ２線で切断したＤ２方向の断面図である。
【００７８】
なお、本実施形態においても、第１実施形態と同一の部材については同一の番号を付し、説明を省略する。また、本実施形態の台紙２１に医療部材２を保持させた状態を示す全体平面図は、図１とほぼ同一であるので省略する。
【００７９】
図５に示すように、台紙２１は、第１実施形態の台紙１と同様、基端にコネクタ６を有するカテーテル等の長尺の医療部材２を保持するためのものであって、平坦面４と、その平坦面４上に、複数の先端側タブ２３ａ１、２３ａ２、・・・・・、２３ａｎ（図示せず）（以下、「２３ａ１〜２３ａｎ」と記す）と、複数の基端側タブ２３ｂ１、２３ｂ２、・・・・・、２３ｂｎ（図示せず）（以下、「２３ｂ１〜２３ｂｎ」と記す）とを備えている。
【００８０】
台紙２１を構成する材料は、特に限定されず、紙、樹脂、発泡材等の従来公知の任意の材料で構成可能である。
【００８１】
先端側タブ２３ａ１〜２３ａｎの各々は、図５に示すように、平面視、先端側タブ２３ａ１〜２３ａｎの各々の底面の両端が滑らかな湾曲形状であって、先端側タブ２３ａ１〜２３ａｎの各々の中央が上向きのＵ字形状であり、対となる基端側タブ２３ｂ１〜２３ｂｎの各々よりも医療部材２先端側に位置している。
【００８２】
また、先端側タブ２３ａ１〜２３ａｎの各々には、先端側タブ２３ａ１〜２３ａｎの各々の底辺Ｂ４に対して垂直な方向に山折りの折り目が形成されている。具体的には、先端側タブ２３ａ１には山折りの直線状の折り目２５ａ１、先端側タブ２３ａ２には山折りの直線状の折り目２５ａ２、・・・・先端側タブ２３ａｎ（図示せず）には山折りの直線状の折り目２５ａｎ（図示せず）が形成されている。
【００８３】
このように、先端側タブ２３ａ１〜２３ａｎの各々に、その各々の底辺Ｂ４に対して垂直な方向に山折りの折り目が形成されると、先端側タブ２３ａ１〜２３ａｎの各々が断面視略三角形の立体的形状を呈し（図６参照）、かつ立体的形状の折り目が医療部材２の長手方向に対して略垂直の方向に形成されるので、先端側タブ２３ａ１〜２３ａｎの各々がさらに折れ曲がり難くなり、医療部材２を確実に保持することができるようになる。
【００８４】
また、基端側タブ２３ｂ１〜２３ｂｎの各々も、図５に示すように、平面視、基端側タブ２３ｂ１〜２３ｂｎの各々の底面の両端が滑らかな湾曲形状であって、基端側タブ２３ｂ１〜２３ｂｎの各々の中央が下向きのＵ字形状であり、対となる先端側タブ２３ａ１〜２３ａｎの各々よりも医療部材２基端側に位置している。
【００８５】
また、基端側タブ２３ｂ１〜２３ｂｎの各々には、基端側タブ２３ｂ１〜２３ｂｎの各々の底辺Ｂ５に対して垂直な方向に山折りの折り目が形成されている。具体的には、基端側タブ２３ｂ１には山折りの直線状の折り目２５ｂ１、基端側タブ２３ｂ２には山折りの直線状の折り目２５ｂ２、・・・・基端側タブ２３ｂｎ（図示せず）には山折りの直線状の折り目２５ｂｎ（図示せず）が形成されている。
【００８６】
このように、基端側タブ２３ｂ１〜２３ｂｎの各々に、その各々の底辺Ｂ５に対して垂直な方向に山折りの折り目が形成されると、図６に示すように、基端側タブ２３ｂ１〜２３ｂｎの各々が断面視略三角形の立体的形状を呈し、かつ立体的形状の折り目が医療部材２の長手方向に対して略垂直の方向に形成されるので、基端側タブ２３ｂ１〜２３ｂｎの各々がさらに折れ曲がり難くなり、医療部材２を確実に保持することができるようになる。
【００８７】
上述した点は、図５において、医療部材２及び台紙２１が紙面表側または裏側に湾曲した場合には、先端側タブ２３ａ１〜２３ａｎの各々及び基端側タブ２３ｂ１〜２３ｂｎの各々の断面視三角形の頂角がさらに大きくまたは小さくなり、医療部材２をさらに強く保持することができるようになる。
【００８８】
なお、本実施形態では、先端側タブ２３ａ１〜２３ａｎのすべて及び基端側タブ２３ｂ１〜２３ｂｎのすべてに山折りの折り目が形成されているが、先端側タブ２３ａ１〜２３ａｎ及び基端側タブ２３ｂ１〜２３ｂｎの一部に山折りの折り目を形成しても良い。また、先端側タブ２３ａ１〜２３ａｎ及び基端側タブ２３ｂ１〜２３ｂｎのすべてまたは一部に後述する谷折りの折り目を形成しても良い。
【００８９】
但し、本実施形態のように、先端側タブ２３ａ１〜２３ａｎのすべて及び基端側タブ２３ｂ１〜２３ｂｎのすべてに山折りの折り目を形成した場合には、立体的形状の折り目が医療部材２の長手方向に対して略垂直の方向に形成され、かつ１つの先端側タブ及び基端側タブが医療部材２に対して２箇所接触することにより、医療部材２をさらに確実に保持することができるようになる。
【００９０】
一方、図５に示すように、基端側タブ２３ｂ１〜２３ｂｎの各々は、先端側タブ２３ａ１〜２３ａｎの各々との間に、略Ｓ字状に並行した間隙が形成されるように配置されている。
【００９１】
本実施形態の台紙２１によれば、長尺の医療部材２を保持するための平坦面４を有し、平坦面４には、先端側タブ２３ａ１〜２３ａｎと、基端側タブ２３ｂ１〜２３ｂｎとが対で形成されており、先端側タブ２３ａ１〜２３ａｎには、先端側タブ２３ａ１〜２３ａｎの底辺Ｂ４に対して垂直な方向に山折りの折り目が形成され、基端側タブ２３ｂ１〜２３ｂｎには、基端側タブ２３ｂ１〜２３ｂｎの底辺Ｂ５に対して垂直な方向に山折りの折り目が形成されているので、医療部材２の使用時には、医療部材２を先端側タブ２３ａ１〜２３ａｎと基端側タブ２３ｂ１〜２３ｂｎとの間から簡単に引き抜くことができ、医療部材２の保管時には、医療部材２に対して略垂直な方向の折り目によって折られることにより立体的形状を呈した先端側タブ２３ａ１〜２３ａｎ及び基端側タブ２３ｂ１〜２３ｂｎによって医療部材２をさらに確実に保持することができる。
【００９２】
また、台紙２１が撓んだ場合にも、折り目によってさらに折られた立体的形状の先端側タブ２３ａ１〜２３ａｎ及び基端側タブ２３ｂ１〜２３ｂｎによって、医療部材２をさらに確実に保持することができる。
【００９３】
さらに、本実施形態の台紙２１によれば、先端側タブ２３ａ１〜２３ａｎと基端側タブ２３ｂ１〜２３ｂｎとが対向する領域には、略Ｓ字状に並行した間隙が形成されているので、長尺の医療部材２をさらに確実に保持することができる。
【００９４】
また、本実施形態の台紙２１においても、必要に応じて他の形状のタブが形成されても良い点及び先端側タブと基端側タブとの対が一つのみ形成された台紙であっても良い点は第１実施形態と同様である。
【００９５】
（第４実施形態）
次に、本発明の第４実施形態について説明する。
【００９６】
図７は、第４実施形態の台紙の部分拡大平面図である。
【００９７】
なお、本実施形態においても、第１実施形態と同一の部材については同一の番号を付し、説明を省略する。また、本実施形態の台紙３１に医療部材２を保持させた状態を示す全体平面図は、図１とほぼ同一であるので省略する。
【００９８】
図７に示すように、台紙３１は、第１実施形態の台紙１と同様、基端にコネクタ６を有するカテーテル等の長尺の医療部材２を保持するためのものであって、平坦面４と、その平坦面４上に、複数の先端側タブ３３ａ１、３３ａ２、・・・・・、３３ａｎ（図示せず）（以下、「３３ａ１〜３３ａｎ」と記す）と、複数の基端側タブ３３ｂ１、３３ｂ２、・・・・・、３３ｂｎ（図示せず）（以下、「３３ｂ１〜３３ｂｎ」と記す）とを備えている。
【００９９】
台紙３１を構成する材料は、特に限定されず、紙、樹脂、発泡材等の従来公知の任意の材料で構成可能である。
【０１００】
先端側タブ３３ａ１〜３３ａｎは、図７に示すように、平面視Ｕ字形状であって、先端側タブ２３ａ１〜２３ａｎの各々の中央は、上向きのＵ字形状と下向きのＵ字形状とを交互に繰り返すように構成されている。
【０１０１】
また、先端側タブ３３ａ１〜３３ａｎの各々には、先端側タブ３３ａ１〜３３ａｎの各々の底辺Ｂ６または底辺Ｂ７に対して垂直な方向に山折りの折り目が形成されている。具体的には、先端側タブ３３ａ１には山折りの直線状の折り目３５ａ１、先端側タブ３３ａ２には山折りの直線状の折り目３５ａ２、・・・・先端側タブ３３ａｎ（図示せず）には山折りの直線状の折り目３５ａｎ（図示せず）が形成されている。
【０１０２】
このように、先端側タブ３３ａ１〜３３ａｎの各々に、その各々の底辺Ｂ６または底辺Ｂ７に対して垂直な方向に山折りの折り目が形成されると、第３実施形態の台紙２１と同様に、先端側タブ３３ａ１〜３３ａｎの各々が断面視略三角形の立体的形状を呈し、かつ立体的形状の折り目が医療部材２の長手方向に対して略垂直の方向に形成されるので（図６参照）、先端側タブ３３ａ１〜３３ａｎの各々がさらに折れ曲がり難くなり、医療部材２を確実に保持することができるようになる。
【０１０３】
また、基端側タブ３３ｂ１〜３３ｂｎの各々も、図７に示すように、平面視Ｕ字形状であって、基端側タブ３３ｂ１〜３３ｂｎの各々の中央は、上向きのＵ字形状と下向きのＵ字形状とを交互に繰り返すように構成されている。
【０１０４】
また、基端側タブ３３ｂ１〜３３ｂｎの各々にも、基端側タブ３３ｂ１〜３３ｂｎの各々の底辺Ｂ６または底辺Ｂ７に対して垂直な方向に山折りの折り目が形成されている。具体的には、基端側タブ３３ｂ１には山折りの直線状の折り目３５ｂ１、基端側タブ３３ｂ２には山折りの直線状の折り目３５ｂ２、・・・・基端側タブ３３ｂｎ（図示せず）には山折りの直線状の折り目３５ｂｎ（図示せず）が形成されている。
【０１０５】
このように、基端側タブ３３ｂ１〜３３ｂｎの各々に、その各々の底辺Ｂ６または底辺Ｂ７に対して垂直な方向に山折りの折り目が形成されると、第３実施形態の台紙２１と同様に、基端側タブ３３ｂ１〜３３ｂｎの各々が断面視略三角形の立体的形状を呈し、かつ立体的形状の折り目が医療部材２の長手方向に対して略垂直の方向に形成されるので（図６参照）、基端側タブ３３ｂ１〜３３ｂｎの各々がさらに折れ曲がり難くなり、医療部材２を確実に保持することができるようになる。
【０１０６】
上述した点は、図７において、医療部材２及び台紙３１が紙面表側または裏側に湾曲した場合には、先端側タブ３３ａ１〜３３ａｎの各々及び基端側タブ３３ｂ１〜３３ｂｎの各々の断面視三角形の頂角がさらに大きくまたは小さくなり、医療部材２をさらに強く保持することができるようになる。
【０１０７】
なお、本実施形態では、先端側タブ３３ａ１〜３３ａｎのすべて及び基端側タブ３３ｂ１〜３３ｂｎのすべてに山折りの折り目が形成されているが、先端側タブ３３ａ１〜３３ａｎ及び基端側タブ３３ｂ１〜３３ｂｎの一部に山折りの折り目を形成しても良い。また、先端側タブ３３ａ１〜３３ａｎ及び基端側タブ３３ｂ１〜３３ｂｎのすべてまたは一部に後述する谷折りの折り目を形成しても良い。
【０１０８】
但し、本実施形態のように、先端側タブ３３ａ１〜３３ａｎのすべて及び基端側タブ３３ｂ１〜３３ｂｎのすべてに山折りの折り目を形成した場合には、立体的形状の折り目が医療部材２の長手方向に対して略垂直の方向に形成され、かつ１つの先端側タブ及び基端側タブが医療部材２に対して２箇所接触することにより、医療部材２をさらに確実に保持することができるようになる。
【０１０９】
本実施形態の台紙３１によれば、長尺の医療部材２を保持するための平坦面４を有し、平坦面４には、先端側タブ３３ａ１〜３３ａｎと、基端側タブ３３ｂ１〜３３ｂｎとが対で形成されており、先端側タブ３３ａ１〜３３ａｎには、先端側タブ３３ａ１〜３３ａｎの底辺Ｂ６または底辺Ｂ７に対して垂直な方向に山折りの折り目が形成され、基端側タブ３３ｂ１〜３３ｂｎにも、基端側タブ３３ｂ１〜３３ｂｎの底辺Ｂ６または底辺Ｂ７に対して垂直な方向に山折りの折り目が形成されているので、医療部材２の使用時には、医療部材２を先端側タブ３３ａ１〜３３ａｎと基端側タブ３３ｂ１〜３３ｂｎとの間から簡単に引き抜くことができ、医療部材２の保管時には、医療部材２に対して略垂直な方向の折り目によって折られることにより立体的形状を呈した先端側タブ３３ａ１〜３３ａｎ及び基端側タブ３３ｂ１〜３３ｂｎによって医療部材２をさらに確実に保持することができる。
【０１１０】
また、台紙３１が撓んだ場合にも、折り目によってさらに折られた立体的形状の先端側タブ３３ａ１〜３３ａｎ及び基端側タブ３３ｂ１〜３３ｂｎによって、医療部材２をさらに確実に保持することができる。
【０１１１】
また、本実施形態の台紙３１においても、必要に応じて他の形状のタブが形成されても良い点及び先端側タブと基端側タブとの対が一つのみ形成された台紙であっても良い点は第１実施形態と同様である。
【０１１２】
（第５実施形態）
次に、本発明の第５実施形態について説明する。
【０１１３】
図８は、第５実施形態の台紙の部分拡大平面図であり、図９は、図８の台紙をＣ４線で切断したＤ４方向の断面図である。
【０１１４】
なお、本実施形態においても、第１実施形態と同一の部材については同一の番号を付し、説明を省略する。また、本実施形態の台紙４１に医療部材２を保持させた状態を示す全体平面図は、図１とほぼ同一であるので省略する。
【０１１５】
図８に示すように、台紙４１は、第１実施形態の台紙１と同様、基端にコネクタ６を有するカテーテル等の長尺の医療部材２を保持するためのものであって、平坦面４と、その平坦面４上に、複数の先端側タブ４３ａ１、４３ａ２、・・・・・、４３ａｎ（図示せず）（以下、「４３ａ１〜４３ａｎ」と記す）と、複数の基端側タブ４３ｂ１、４３ｂ２、・・・・・、４３ｂｎ（図示せず）（以下、「４３ｂ１〜４３ｂｎ」と記す）とを備えている。
【０１１６】
台紙４１を構成する材料は、特に限定されず、紙、樹脂、発泡材等の従来公知の任意の材料で構成可能である。
【０１１７】
先端側タブ４３ａ１〜４３ａｎの各々は、図８に示すように、平面視、先端側タブ４３ａ１〜４３ａｎの各々の底面の両端が滑らかな湾曲形状であって、先端側タブ４３ａ１〜４３ａｎの各々の中央が上向きのＵ字形状であり、対となる基端側タブ４３ｂ１〜４３ｂｎの各々よりも医療部材２先端側に位置している。
【０１１８】
また、先端側タブ４３ａ１〜４３ａｎの各々には、先端側タブ４３ａ１〜４３ａｎの各々の底辺Ｂ８に対して交差するθ４方向に山折りの平行な２本の折り目が形成されている。具体的には、先端側タブ４３ａ１には平行な２本の山折りの直線状の折り目４５ａ１１及び４５ａ１２、先端側タブ４３ａ２には平行な２本の山折りの直線状の折り目４５ａ２１及び４５ａ２２、・・・・先端側タブ４３ａｎ（図示せず）には平行な２本の山折りの直線状の折り目４５ａｎ１（図示せず）及び４５ａｎ２（図示せず）が形成されている。
【０１１９】
このように、先端側タブ４３ａ１〜４３ａｎの各々に、その各々の底辺Ｂ８に対して交差するθ４方向に平行な２本の山折りの折り目が形成されると、先端側タブ４３ａ１〜４３ａｎの各々が断面視略台形の立体的形状を呈し（図９参照）、先端側タブ４３ａ１〜４３ａｎの各々がさらに折れ曲がり難くなり、医療部材２を確実に保持することができるようになる。
【０１２０】
また、基端側タブ４３ｂ１〜４３ｂｎの各々も、図８に示すように、平面視、基端側タブ４３ｂ１〜４３ｂｎの各々の底面の両端が滑らかな湾曲形状であって、基端側タブ４３ｂ１〜４３ｂｎの各々の中央が下向きのＵ字形状であり、対となる先端側タブ４３ａ１〜４３ａｎの各々よりも医療部材２基端側に位置している。
【０１２１】
また、基端側タブ４３ｂ１〜４３ｂｎの各々には、基端側タブ４３ｂ１〜４３ｂｎの各々の底辺Ｂ９に対して交差するθ５方向に山折りの平行な２本の折り目が形成されている。具体的には、先端側タブ４３ｂ１には平行な２本の山折りの直線状の折り目４５ｂ１１及び４５ｂ１２、先端側タブ４３ｂ２には平行な２本の山折りの直線状の折り目４５ｂ２１及び４５ｂ２２、・・・・先端側タブ４３ｂｎ（図示せず）には平行な２本の山折りの直線状の折り目４５ｂｎ１（図示せず）及び４５ｂｎ２（図示せず）が形成されている。
【０１２２】
このように、基端側タブ４３ｂ１〜４３ｂｎの各々に、その各々の底辺Ｂ９に対して交差するθ５方向に２本の山折りの折り目が形成されると、基端側タブ４３ｂ１〜４３ｂｎの各々は、図９に示すように、断面視略台形の立体的形状を呈し、先端側タブ４３ｂ１〜４３ｂｎの各々がさらに折れ曲がり難くなり、医療部材２を確実に保持することができるようになる。
【０１２３】
上述した点は、図９において、医療部材２及び台紙４１が紙面上側または下側に湾曲した場合には、先端側タブ４３ａ１〜４３ａｎの各々及び基端側タブ４３ｂ１〜４３ｂｎの各々の断面視台形の斜辺が交差する角度がさらに小さくまたは大きくなり、医療部材２をさらに強く保持することができるようになる。
【０１２４】
なお、本実施形態では、先端側タブ４３ａ１〜４３ａｎのすべて及び基端側タブ４３ｂ１〜４３ｂｎのすべてに山折りの折り目が形成されているが、先端側タブ４３ａ１〜４３ａｎ及び基端側タブ４３ｂ１〜４３ｂｎの一部に山折りの折り目を形成しても良い。また、先端側タブ４３ａ１〜４３ａｎ及び基端側タブ４３ｂ１〜４３ｂｎのすべてまたは一部に後述する谷折りの折り目を形成しても良い。
【０１２５】
但し、本実施形態のように、先端側タブ４３ａ１〜４３ａｎのすべて及び基端側タブ４３ｂ１〜４３ｂｎのすべてに山折りの折り目を形成した場合には、１つの先端側タブ及び基端側タブが医療部材２に対して２箇所接触することにより、医療部材２をさらに確実に保持することができるようになる。
【０１２６】
一方、図８に示すように、基端側タブ４３ｂ１〜４３ｂｎの各々は、先端側タブ４３ａ１〜４３ａｎの各々との間に、略Ｓ字状に並行した間隙が形成されるように配置されている。
【０１２７】
本実施形態の台紙４１によれば、長尺の医療部材２を保持するための平坦面４を有し、平坦面４には、先端側タブ４３ａ１〜４３ａｎと、基端側タブ４３ｂ１〜４３ｂｎとが対で形成されており、先端側タブ４３ａ１〜４３ａｎには、先端側タブ４３ａ１〜４３ａｎの底辺Ｂ８に対して交差するθ４方向に山折りの折り目が２本形成され、基端側タブ４３ｂ１〜４３ｂｎには、基端側タブ４３ｂ１〜４３ｂｎの底辺Ｂ９に対して交差するθ５方向に山折りの折り目が２本形成されているので、医療部材２の使用時には、医療部材２を先端側タブ４３ａ１〜４３ａｎと基端側タブ４３ｂ１〜４３ｂｎとの間から簡単に引き抜くことができ、医療部材２の保管時には、２本の折り目によって折られることにより立体的形状を呈した先端側タブ４３ａ１〜４３ａｎ及び基端側タブ４３ｂ１〜４３ｂｎによって医療部材２をさらに確実に保持することができる。
【０１２８】
また、台紙４１が撓んだ場合にも、２本の折り目によってさらに折られた立体的形状の先端側タブ４３ａ１〜４３ａｎ及び基端側タブ４３ｂ１〜４３ｂｎによって、医療部材２をさらに確実に保持することができる。
【０１２９】
さらに、本実施形態の台紙４１によれば、先端側タブ４３ａ１〜４３ａｎと基端側タブ４３ｂ１〜４３ｂｎとが対向する領域には、略Ｓ字状に並行した間隙が形成されているので、長尺の医療部材２をさらに確実に保持することができる。
【０１３０】
また、本実施形態の台紙４１においても、必要に応じて他の形状のタブが形成されても良い点及び先端側タブと基端側タブとの対が一つのみ形成された台紙であっても良い点は第１実施形態と同様である。
【０１３１】
なお、本実施形態においては、先端側タブ４３ａ１〜４３ａｎの各々及び基端側タブ４３ｂ１〜４３ｂｎの各々に２本の折り目を形成するようにしたが、２本に限らず、先端側タブ４３ａ１〜４３ａｎの各々及び基端側タブ４３ｂ１〜４３ｂｎの各々に３本以上の折り目を形成するようにしても良い。
【０１３２】
（第６実施形態）
次に、本発明の第６実施形態について説明する。
【０１３３】
図１０は、第６実施形態の台紙の部分拡大平面図である。
【０１３４】
なお、本実施形態においても、第１実施形態と同一の部材については同一の番号を付し、説明を省略する。また、本実施形態の台紙５１に医療部材２を保持させた状態を示す全体平面図は、図１とほぼ同一であるので省略する。
【０１３５】
図１０に示すように、台紙５１は、第１実施形態の台紙１と同様、基端にコネクタ６を有するカテーテル等の長尺の医療部材２を保持するためのものであって、平坦面４と、その平坦面４上に、複数の先端側タブ５３ａ１、５３ａ２、・・・・・、５３ａｎ（図示せず）（以下、「５３ａ１〜５３ａｎ」と記す）と、複数の基端側タブ５３ｂ１、５３ｂ２、・・・・・、５３ｂｎ（図示せず）（以下、「５３ｂ１〜５３ｂｎ」と記す）とを備えている。
【０１３６】
台紙５１を構成する材料は、特に限定されず、紙、樹脂、発泡材等の従来公知の任意の材料で構成可能である。
【０１３７】
先端側タブ５３ａ１〜５３ａｎの各々は、図１０に示すように、平面視、先端側タブ５３ａ１〜５３ａｎの各々の底面の両端が滑らかな湾曲形状であって、先端側タブ５３ａ１〜５３ａｎの各々の中央が上向きのＵ字形状であり、対となる基端側タブ５３ｂ１〜５３ｂｎの各々よりも医療部材２先端側に位置している。
【０１３８】
また、先端側タブ５３ａ１には、先端側タブ５３ａ１の底辺Ｂ１１に対して交差しかつ異なる方向に延びる山折りの２本の折り目５５ａ１１及び５５ａ１２が形成されており、折り目５５ａ１１と折り目５５ａ１２とは、図１０に示すように、平行ではなく、交差角度θ６をなす。
【０１３９】
また、先端側タブ５３ａ２にも、先端側タブ５３ａ２の底辺Ｂ１１に対して交差しかつ異なる方向に延びる山折りの２本の折り目５５ａ２１及び５５ａ２２が形成されており、折り目５５ａ２１と折り目５５ａ２２とは、図１０に示すように、平行ではなく、交差角度θ７をなす。
【０１４０】
さらに、先端側タブ５３ａ３（図示せず）乃至先端側タブ５３ａｎ（図示せず）の各々には、先端側タブ５３ａ１及び先端側タブ５３ａ２と同様に、先端側タブの底辺Ｂ１１に対して交差しかつ異なる方向に延びる山折りの２本の折り目が形成されており、各２本の折り目は、平行ではなく、所定の交差角度をなす。
【０１４１】
このように、先端側タブ５３ａ１〜５３ａｎの各々に、その各々の底辺Ｂ１１に対して交差しかつ異なる方向に２本の山折りの折り目が形成されると、先端側タブ５３ａ１〜５３ａｎの各々が断面視略台形の立体的形状を呈し（図９参照）、先端側タブ５３ａ１〜５３ａｎの各々がさらに折れ曲がり難くなり、医療部材２を確実に保持することができるようになる。
【０１４２】
また、基端側タブ５３ｂ１〜５３ｂｎの各々も、図１０に示すように、平面視、基端側タブ５３ｂ１〜５３ｂｎの各々の底面の両端が滑らかな湾曲形状であって、基端側タブ５３ｂ１〜５３ｂｎの各々の中央が下向きのＵ字形状であり、対となる先端側タブ５３ａ１〜５３ａｎの各々よりも医療部材２基端側に位置している。
【０１４３】
また、基端側タブ５３ｂ１には、基端側タブ５３ｂ１の底辺Ｂ１２に対して交差しかつ異なる方向に延びる山折りの２本の折り目５５ｂ１１及び５５ｂ１２が形成されており、折り目５５ｂ１１と折り目５５ｂ１２とは、図１０に示すように、平行ではなく、交差角度θ８をなす。
【０１４４】
また、基端タブ５３ｂ２には、基端側タブ５３ｂ２の底辺Ｂ１２に対して交差しかつ異なる方向に延びる山折りの２本の折り目５５ｂ２１及び５５ｂ２２が形成されており、折り目５５ｂ２１と折り目５５ｂ２２とは、図１０に示すように、平行ではなく、交差角度θ９をなす。
【０１４５】
さらに、基端側タブ５３ｂ３（図示せず）乃至基端側タブ５３ｂｎ（図示せず）の各々には、基端側タブ５３ｂ１及び基端側タブ５３ｂ２と同様に、基端側タブの底辺Ｂ１２に対して交差しかつ異なる方向に延びる山折りの２本の折り目が形成されており、各２本の折り目は、平行ではなく、所定の交差角度をなす。
【０１４６】
このように、基端側タブ５３ｂ１〜５３ｂｎの各々に、その各々の底辺Ｂ１２に対して交差しかつ異なる方向に２本の山折りの折り目が形成されると、基端側タブ５３ｂ１〜５３ｂｎの各々が断面視略台形の立体的形状を呈し（図９参照）、基端側タブ５３ｂ１〜５３ｂｎの各々がさらに折れ曲がり難くなり、医療部材２を確実に保持することができるようになる。
【０１４７】
上述した点は、図１０において、医療部材２及び台紙５１が紙面表側または裏側に湾曲した場合には、先端側タブ５３ａ１〜５３ａｎの各々及び基端側タブ５３ｂ１〜５３ｂｎの各々の断面視台形の斜辺が交差する角度がさらに小さくまたは大きくなり、医療部材２をさらに強く保持することができるようになる。
【０１４８】
なお、本実施形態では、先端側タブ５３ａ１〜５３ａｎのすべて及び基端側タブ５３ｂ１〜５３ｂｎのすべてに山折りの折り目が形成されているが、先端側タブ５３ａ１〜５３ａｎ及び基端側タブ５３ｂ１〜５３ｂｎの一部に山折りの折り目を形成しても良い。また、先端側タブ５３ａ１〜５３ａｎ及び基端側タブ５３ｂ１〜５３ｂｎのすべてまたは一部に後述する谷折りの折り目を形成しても良い。
【０１４９】
但し、本実施形態のように、先端側タブ５３ａ１〜５３ａｎのすべて及び基端側タブ５３ｂ１〜５３ｂｎのすべてに山折りの折り目を形成した場合には、１つの先端側タブ及び基端側タブが医療部材２に対して２箇所接触することにより、医療部材２をさらに確実に保持することができるようになる。
【０１５０】
一方、図１０に示すように、基端側タブ５３ｂ１〜５３ｂｎの各々は、先端側タブ５３ａ１〜５３ａｎの各々との間に、略Ｓ字状に並行した間隙が形成されるように配置されている。
【０１５１】
本実施形態の台紙５１によれば、長尺の医療部材２を保持するための平坦面４を有し、平坦面４には、先端側タブ５３ａ１〜５３ａｎと、基端側タブ５３ｂ１〜５３ｂｎとが対で形成されており、先端側タブ５３ａ１〜５３ａｎの各々には、先端側タブ５３ａ１〜５３ａｎの底辺Ｂ１１に対して交差しかつ異なる方向に山折りの折り目が２本形成され、基端側タブ５３ｂ１〜５３ｂｎには、基端側タブ５３ｂ１〜５３ｂｎの底辺Ｂ１２に対して交差しかつ異なる方向に山折りの折り目が２本形成されているので、医療部材２の使用時には、医療部材２を先端側タブ５３ａ１〜５３ａｎと基端側タブ５３ｂ１〜５３ｂｎとの間から簡単に引き抜くことができ、医療部材２の保管時には、２本の折り目によって折られることにより立体的形状を呈した先端側タブ５３ａ１〜５３ａｎ及び基端側タブ５３ｂ１〜５３ｂｎによって医療部材２をさらに確実に保持することができる。
【０１５２】
また、台紙５１が撓んだ場合にも、２本の折り目によってさらに折られた立体的形状の先端側タブ５３ａ１〜５３ａｎ及び基端側タブ５３ｂ１〜５３ｂｎによって、医療部材２をさらに確実に保持することができる。
【０１５３】
さらに、本実施形態の台紙５１によれば、先端側タブ５３ａ１〜５３ａｎと基端側タブ５３ｂ１〜５３ｂｎとが対向する領域には、略Ｓ字状に並行した間隙が形成されているので、長尺の医療部材２をさらに確実に保持することができる。
【０１５４】
また、本実施形態の台紙５１においても、必要に応じて他の形状のタブが形成されても良い点及び先端側タブと基端側タブとの対が一つのみ形成された台紙であっても良い点は第１実施形態と同様である。
【０１５５】
なお、本実施形態においては、先端側タブ５３ａ１〜５３ａｎの各々及び基端側タブ５３ｂ１〜５３ｂｎの各々に２本の折り目を形成するようにしたが、２本に限らず、先端側タブ５３ａ１〜５３ａｎの各々及び基端側タブ５３ｂ１〜５３ｂｎの各々に３本以上の折り目をそれぞれ異なる方向に形成するようにしても良い。
【０１５６】
（第７実施形態）
次に、本発明の第７実施形態について説明する。
【０１５７】
図１１は、第７実施形態の台紙の部分拡大平面図であり、図１２は、図１１の台紙をＣ６線で切断したＤ６方向の断面図である。
【０１５８】
なお、本実施形態においても、第１実施形態と同一の部材については同一の番号を付し、説明を省略する。また、本実施形態の台紙６１に医療部材２を保持させた状態を示す全体平面図は、図１とほぼ同一であるので省略する。
【０１５９】
図１１に示すように、台紙６１は、第１実施形態の台紙１と同様、基端にコネクタ６を有するカテーテル等の長尺の医療部材２を保持するためのものであって、平坦面４と、その平坦面４上に、複数の先端側タブ６３ａ１、６３ａ２、・・・・・、６３ａｎ（図示せず）（以下、「６３ａ１〜６３ａｎ」と記す）と、複数の基端側タブ６３ｂ１、６３ｂ２、・・・・・、６３ｂｎ（図示せず）（以下、「６３ｂ１〜６３ｂｎ」と記す）とを備えている。
【０１６０】
台紙６１を構成する材料は、特に限定されず、紙、樹脂、発泡材等の従来公知の任意の材料で構成可能である。
【０１６１】
先端側タブ６３ａ１〜６３ａｎの各々は、図１１に示すように、平面視、先端側タブ６３ａ１〜６３ａｎの各々の底面の両端が滑らかな湾曲形状であって、先端側タブ６３ａ１〜６３ａｎの各々の中央が上向きのＵ字形状であり、対となる基端側タブ６３ｂ１〜６３ｂｎの各々よりも医療部材２先端側に位置している。
【０１６２】
また、先端側タブ６３ａ１〜６３ａｎの各々には、各先端側タブ上の１点から異なる方向に延び、先端側タブ６３ａ１〜６３ａｎの各々の底辺Ｂ１３に対して交差する方向に延びる谷折りの２本の折り目が形成されている。具体的には、先端側タブ６３ａ１には２本の谷折りの直線状の折り目６５ａ１１及び６５ａ１２、先端側タブ６３ａ２には２本の谷折りの直線状の折り目６５ａ２１及び６５ａ２２、・・・・先端側タブ６３ａｎ（図示せず）には２本の谷折りの直線状の折り目６５ａｎ１（図示せず）及び６５ａｎ２（図示せず）が形成されている。
【０１６３】
なお、２本の谷折りの直線状の折り目６５ａ１１及び６５ａ１２、折り目６５ａ２１及び６５ａ２２、・・・・、並びに折り目６５ａｎ１（図示せず）及び６５ａｎ２（図示せず）は、それぞれ交差角度θ１０をなす。
【０１６４】
このように、先端側タブ６３ａ１〜６３ａｎの各々に、その各々の底辺Ｂ１３に対して交差する２本の谷折りの折り目が形成されると、先端側タブ６３ａ１〜６３ａｎの各々が立体的形状を呈し（図１２参照）、先端側タブ６３ａ１〜６３ａｎの各々が折れ曲がり難くなり、医療部材２を確実に保持することができるようになる。
【０１６５】
また、基端側タブ６３ｂ１〜６３ｂｎの各々も、図１１に示すように、平面視、基端側タブ６３ｂ１〜６３ｂｎの各々の底面の両端が滑らかな湾曲形状であって、基端側タブ６３ｂ１〜６３ｂｎの各々の中央が下向きのＵ字形状であり、対となる先端側タブ６３ａ１〜６３ａｎの各々よりも医療部材２基端側に位置している。
【０１６６】
また、基端側タブ６３ｂ１〜６３ｂｎの各々には、各基端側タブ上の１点から異なる方向に延び、基端側タブ６３ｂ１〜６３ｂｎの各々の底辺Ｂ１４に対して交差する方向に延びる谷折りの２本の折り目が形成されている。具体的には、基端側タブ６３ｂ１には２本の谷折りの直線状の折り目６５ｂ１１及び６５ｂ１２、基端側タブ６３ｂ２には２本の谷折りの直線状の折り目６５ｂ２１及び６５ｂ２２、・・・・基端側タブ６３ｂｎ（図示せず）には２本の谷折りの直線状の折り目６５ｂｎ１（図示せず）及び６５ｂｎ２（図示せず）が形成されている。
【０１６７】
なお、２本の谷折りの直線状の折り目６５ｂ１１及び６５ｂ１２、折り目６５ｂ２１及び６５ｂ２２、・・・・、並びに折り目６５ｂｎ１（図示せず）及び６５ｂｎ２（図示せず）は、それぞれ交差角度θ１１をなす。
【０１６８】
このように、基端側タブ６３ｂ１〜６３ｂｎの各々に、その各々の底辺Ｂ１４に対して交差する２本の谷折りの折り目が形成されると、図１２に示すように、基端側タブ６３ｂ１〜６３ｂｎの各々が立体的形状を呈し、基端側タブ６３ｂ１〜６３ｂｎの各々が折れ曲がり難くなり、医療部材２を確実に保持することができるようになる。
【０１６９】
上述した点は、図１１において、医療部材２及び台紙６１が紙面表側または裏側に湾曲した場合には、先端側タブ６３ａ１〜６３ａｎの各々及び基端側タブ６３ｂ１〜６３ｂｎの各々の角度がさらに小さくまたは大きくなり、医療部材２をさらに強く保持することができるようになる。
【０１７０】
なお、本実施形態では、先端側タブ６３ａ１〜６３ａｎのすべて及び基端側タブ６３ｂ１〜６３ｂｎのすべてに谷折りの折り目が形成されているが、先端側タブ６３ａ１〜６３ａｎ及び基端側タブ６３ｂ１〜６３ｂｎの一部に谷折りの折り目を形成しても良い。また、先端側タブ６３ａ１〜６３ａｎ及び基端側タブ６３ｂ１〜６３ｂｎのすべてまたは一部に前述の山折りの折り目を形成しても良い。
【０１７１】
一方、図１１に示すように、基端側タブ６３ｂ１〜６３ｂｎの各々は、先端側タブ６３ａ１〜６３ａｎの各々との間に、略Ｓ字状に並行した間隙が形成されるように配置されている。
【０１７２】
本実施形態の台紙６１によれば、長尺の医療部材２を保持するための平坦面４を有し、平坦面４には、先端側タブ６３ａ１〜６３ａｎと、基端側タブ６３ｂ１〜６３ｂｎとが対で形成されており、先端側タブ６３ａ１〜６３ａｎの各々には、先端側タブ６３ａ１〜６３ａｎの底辺Ｂ１３に対して交差し異なる方向に谷折りの折り目が２本形成され、基端側タブ６３ｂ１〜６３ｂｎには、基端側タブ６３ｂ１〜６３ｂｎの底辺Ｂ１４に対して交差しかつ異なる方向に谷折りの折り目が２本形成されているので、医療部材２の使用時には、医療部材２を先端側タブ６３ａ１〜６３ａｎと基端側タブ６３ｂ１〜６３ｂｎとの間から簡単に引き抜くことができ、医療部材２の保管時には、２本の折り目によって折られることにより立体的形状を呈した先端側タブ６３ａ１〜６３ａｎ及び基端側タブ６３ｂ１〜６３ｂｎによって医療部材２を確実に保持することができる。
【０１７３】
また、台紙６１が撓んだ場合にも、２本の折り目によってさらに折られた立体的形状の先端側タブ６３ａ１〜６３ａｎ及び基端側タブ６３ｂ１〜６３ｂｎによって、医療部材２をさらに確実に保持することができる。
【０１７４】
さらに、本実施形態の台紙６１によれば、先端側タブ６３ａ１〜６３ａｎと基端側タブ６３ｂ１〜６３ｂｎとが対向する領域には、略Ｓ字状に並行した間隙が形成されているので、長尺の医療部材２をさらに確実に保持することができる。
【０１７５】
また、本実施形態の台紙６１においても、必要に応じて他の形状のタブが形成されても良い点及び先端側タブと基端側タブとの対が一つのみ形成された台紙であっても良い点は第１実施形態と同様である。
【０１７６】
なお、本実施形態においては、先端側タブ６３ａ１〜６３ａｎの各々及び基端側タブ６３ｂ１〜６３ｂｎの各々に２本の折り目を形成するようにしたが、２本に限らず、先端側タブ６３ａ１〜６３ａｎの各々及び基端側タブ６３ｂ１〜６３ｂｎの各々に１本以上の谷折りの折り目を形成するようにしても良い。
【符号の説明】
【０１７７】
１，１１，２１，３１，４１，５１，６１・・・台紙
２・・・医療部材
４・・・平坦面
３ａ，１３ａ，２３ａ，３３ａ，４３ａ，５３ａ，６３ａ・・・先端側タブ
３ｂ，１３ｂ，２３ｂ，３３ｂ，４３ｂ，５３ｂ，６３ｂ・・・基端側タブ
５ｂ，１５ａ，１５ｂ，２５ａ，２５ｂ，３５ａ，３５ｂ４５ａ，４５ｂ，５５ａ，５５ｂ，６５ａ，６５ｂ・・・折り目
Ｂ１，Ｂ２，Ｂ３，Ｂ４，Ｂ５，Ｂ６，Ｂ７，Ｂ８，Ｂ９，Ｂ１１，Ｂ１２，Ｂ１３，Ｂ１４・・・底辺
【図１】
2020130212.tif 000003
【図２】
2020130212.tif 000004
【図３】
2020130212.tif 000005
【図４】
2020130212.tif 000006
【図５】
2020130212.tif 000007
【図６】
2020130212.tif 000008
【図７】
2020130212.tif 000009
【図８】
2020130212.tif 000010
【図９】
2020130212.tif 000011
【図１０】
2020130212.tif 000012
【図１１】
2020130212.tif 000013
【図１２】
2020130212.tif 000014